(57)【特許請求の範囲】
【請求項１】
天井部材を支持するために、天井面に設置し、開口部を規定する枠組みを有するつり下げ天井システムにおける頭上設備であって、
電気装置と、
前記開口部の一つに支持された前記天井部材の一つの上にある前記枠組みに設けられた前記電気装置を支持するための支持部と、
前記電気装置に設けられ、前記一つの天井部材が少なくとも部分的に前記一つの開口部から取り外される際に、前記枠組みの下から前記一つの開口部を通じて接近できるように前記天井面に対して斜め下方向に傾斜した傾斜コントロールパネルと
を備えることを特徴とする頭上設備。
【請求項２】
前記傾斜コントロールパネルは、前記一つの開口部を通じて手の接近が可能なときに、手動で駆動する少なくとも一つの手動駆動可能な制御手段を備えることを特徴とする請求項１に記載の頭上設備。
【請求項３】
前記傾斜コントロールパネルは、前記一つの開口部を通じて視覚的な接近が可能なときに、視覚可能な少なくとも一つの表示部を備えることを特徴とする請求項１又は２に記載の頭上設備。
【請求項４】
前記傾斜コントロールパネルは、前記電気装置の内部に接近するために開かれる開閉可能な扉部を備えることを特徴とする請求項１〜３のいずれかに記載の頭上設備。
【請求項５】
前記電気装置は、前記一つの開口部を部分的にかぶせるハウジングを備えることを特徴とする請求項１に記載の頭上設備。
【請求項６】
前記開口部は略四角形状からなり、前記ハウジングは略三角形状からなることを特徴とする請求項５に記載の頭上設備。
【請求項７】
前記略三角形ハウジングは、互いに直角な面に設置され、前記天井面に対して略垂直な２つの側壁を備え、前記傾斜コントロールパネルは、前記略三角形ハウジングの第三の壁となることを特徴とする請求項５又は６に記載の頭上設備。
【請求項８】
前記傾斜コントロールパネルは、前記側壁と前記傾斜コントロールパネルに対して傾斜する２つの略平面コーナーにおいて、前記略三角形ハウジングの前記側壁と接続することを特徴とする請求項１〜７のいずれかに記載の頭上設備。
【請求項９】
前記支持部は、前記枠組みの上に前記電気装置を固定するための留め具と、前記留め具から上方に延設された支持脚とを備えることを特徴とする請求項１に記載の頭上設備。
【請求項１０】
前記支持部は、前記枠組みの上の所定の高さで前記電気装置を支持するために作用するものであって、前記高さとは、前記一つの天井部材を前記一つの開口部から部分的に取り外すときに、前記天井部材と前記電気装置との間の機械的な干渉を防止するための十分な高さであることを特徴とする請求項９に記載の頭上設備。
【発明の詳細な説明】
【背景技術】
【０００１】
従来におけるビル内のつり下げ又は垂下天井システムは、天井面に設置して、複数の多角形開口部（一般的には四角形）を形成する互いに直角の枠構成部材の格子枠組みを備え、天井タイル、照明設備、エアーダクト、スピーカーなどの天井部材を挿入し支持する。天井システムは、特に、ビルのインフラに対して視覚的及びしばしば聴覚的な障害物を備え、障害物は、例えば、ビル構造物の実際の天井とつり下げ枠組みとの間における頭上プレナム(plenum)又は間隙に設けられたスプリンクラーパイプ、水パイプ、空調管工事、電線用導管、電源ケーブル、電話ケーブル、コンピューターネットワークケーブル、ケーブルトレー、配電盤、他の機械的及び電気的なサービスがある。
【０００２】
その結果、頭上プレナムは、機械的及び電気的なインフラサービスによって詰め込まれ、特に、プレナムにおける複雑な迷路のようなケーブルの存在によって、サービス及び部品の交換をしばしば困難にする。インフラサービスは、一般的に、電気装置が接続される様々なインフラサービスを監視及び制御するための電気装置を含む。特に、オフィス内の電力装置に直電流（ＤＣ）を供給することが好ましく、これにより、電気装置は、ＤＣ電源、又は直流電力を制御するための構成要素、又は直流電力の経路のための配電盤である。特に、定期的な補修及び修理のために、このような電気装置に対する接近が望まれる。
【０００３】
しかし、プレナムの詰め込みによって、素早く接近できない。このような電気装置に達するために、少なくとも一つの天井部材（例えば天井タイル）を格子枠組みの対応する開口部から取り外す、又は少なくとも移動する必要がある。しかし、電気装置がこのような移動を妨げることによって、天井タイルの取り外しをしばしば妨げる。例えば、電気装置が直接天井タイルの上に設置され、又は電気装置が天井タイルの非常に近くに配置されて、電気装置が連続移動を妨げる前に天井タイルの制限された移動だけを可能とする。時々、電気装置を妨害するプレナム内の他の設備及び／又はケーブルを移動する必要があり、時々、十分な接近を可能とするために電気装置自身をプレナムから移動又は取り外さなければならない。これは、激しい労働及び時間消費であって、望まない費用に相当する。従って、このような電気装置への素早い接近を提供する必要がある。
【発明の開示】
【０００４】
本発明の一つの特徴は、簡単に説明すると、頭上設備におけるつり下げ又は垂下天井システムが枠構成部材の格子枠組みを有し、天井面に設置され、対応する複数の天井部材（例えば天井タイル）を支持するための複数の開口部を規定する。頭上設備は、電気回路の構成部品及びワイヤーを収納するためのハウジング（例えばＤＣ電源）と、開口部で支持される天井タイルの上の所定の高さで枠組み上に設置される電気装置を支持するための支持部と、ハウジングに設けられる傾斜コントロールパネルとを備える。この高さとは、天井タイルと電気装置との間の機械的な干渉がなく、天井タイルを開口部から移動又は取り外しできるのに十分な高さ（例えば数インチ）である。傾斜コントロールパネルは、好ましくは、手動接近可能な制御手段（例えば、使用者によって手動で起動されるスイッチ、キー又はボタン）と、視覚接近可能な表示部（例えば、使用者によって認識されるスクリーン又は表示灯）とを有する。
【０００５】
本発明によれば、傾斜コントロールパネルは、天井面に対して斜め下方向に傾斜しており、天井タイルを開口部から少なくとも部分的に取り外すとき、枠組みの下から傾斜コントロールパネルへの開口部を通じて、手が制御手段に接近（手動的な接近）でき、目が表示部に接近（視覚的な接近）できるようにする。傾斜コントロールパネルは、開閉可能な扉を備え、開くとハウジング内に収納された電気回路の構成部品及びワイヤーに接近できる。好ましくは、天井タイルは、天井タイルと電気装置との間の機械的な干渉がなく、簡単で完全に枠組みの開口部から取り外され、これによって、傾斜コントロールパネルへの接近を素早く完全なものとし、それは下方向に使用者に向くように傾斜及び配置される。
【０００６】
好ましい実施形態では、ハウジング２４は開口部１６に部分的にかぶさる。開口部は略長方形であって、ハウジングは略三角形である。略三角形ハウジングは、天井面に対して略垂直な互いに直角な面に設置される２つの側壁を備え、傾斜コントロールパネルが略三角形ハウジングの第３の壁となる。傾斜コントロールパネルは、側壁及び傾斜コントロールパネルに対して斜めに傾斜した２つの略平面コーナー壁において、略三角形ハウジングの側壁に接続する。２つの側壁は、好ましくは、直角では接続されない。支持部は、ハウジングが設置される外部の支持構造を備える。支持部は、ハウジングの下で支持可能に設置された支持棒と、上記した高さに対応する距離のために支持棒から下方に延設された支持脚と、支持脚の端部領域において上記した高さで枠組みの上で電気装置を着脱可能に固定するための留め具又はクリップとを備える。その代りに、支持部は、支持棒を省略し、例えば側壁においてハウジングに対して着脱自在に固定される支持脚と、上記した高さで枠組みの上で電気装置を着脱自在に固定するための支持脚の端部に設けられた留め具又はクリップとを備える。
【０００７】
これによって、特に定期的な補修及び修理のための即座で素早い接近を電気装置に生み出す。電気装置がこのような移動を妨げないので、天井タイルの取り外しを妨げない。
電気装置が直接天井タイルの上に設置されず、又は電気装置が天井タイルの非常に近くに配置されて、天井タイルの制限された移動だけを可能とすることもない。電気装置に接近するために電気装置からプレナム内の装備及び／又はケーブルを移動させる必要がなく、これによって、インフラサービスをもたらすのに必要な労働コスト及び時間を最小限にする。
【図面の簡単な説明】
【０００８】
【図１】一部切り欠いて示すつり下げ天井システムに設置された支持部の一実施形態によって取り付けられた本発明に基づく頭上設備の斜視図である。
【０００９】
【図２】扉を開いた状態における下方から見た図１の頭上設備の斜視図である。
【００１０】
【図３】図１の頭上設備の電気装置の正面図である。
【００１１】
【図４】本発明に基づくつり下げ天井システムから使用者が天井タイルを部分的に取り外して接近することを示す、図１の４−４線断面図である。
【００１２】
【図５】つり下げ天井システムの図１の頭上設備の電気装置を取り付けるための支持部の他の実施形態の一部切り欠いて拡大した分解斜視図である。
【００１３】
【図６】組み立てた後の図５の実施形態の図である。
【発明を実施するための形態】
【００１４】
図１において、符号１０は、つり下げ又は垂下天井システムにおける頭上設備であって、対応する複数の天井部材（例えば天井タイル１８（図４参照））を支持するために、天井面に設置し、複数の開口部１６を規定する互いに直角の枠構成部材１２，１４の四角形格子枠組みを備える。各タイル１８は、支持開口部１６に対する相補的な外形である。各枠構成部材１２，１４は、例えば折り曲げ及び押し曲げによって、一片の金属薄板から形成される。各枠構成部材は、タイル１８が周辺で支持される略水平フランジ部と、垂直ウェブ部とを備える。開口部１６は、好ましくは多角形（例えば正方形又は長方形）であり、一般的に２フィート×２フィート、又は２フィート×４フィート、又は４フィート×４フィートの規定サイズである。タイル１８以外の天井部材（例えば照明設備、エアーダクト、スピーカーなど）も各開口部１６で支持できる。従来通り、天井システムは、ねじ棒又は天井ワイヤー２０によってビルの実際の天井からつり下げられる。
【００１５】
頭上設備１０は、電気回路の構成部分及び電気配線を収納するためのハウジング２４を備えた電気装置２２（好ましくはＤＣ電源）と、開口部１６で支持された天井タイル１８の上の所定の高さで枠組みに設けられた電気装置２２を支持するための支持部２６と、ハウジング２４に設けられた傾斜コントロールパネル３０とを備える。図４の通り、高さとは、天井タイル１８と電気装置２２との間の機械的な干渉がなく、開口部１６から天井タイル１８を移動又は取り外しできるのに十分な高さ（例えば数インチ）のことである。傾斜コントロールパネル３０は、好ましくは、一以上の手動接近可能な制御手段３２（例えば、使用者２８によって手動で起動されるスイッチ、キー又はボタン（図４参照））と、一以上の視覚接近可能な表示部３４（例えば、使用者２８によって認識されるスクリーン又は表示灯）とを有する。制御手段３２及び表示部３４は、平行な列で配置する必要はなく、様々な形態で配置できる。
【００１６】
本発明によれば、傾斜コントロールパネル３０は、天井面に対して斜め下方向に傾斜しており、天井タイル１８を開口部１６から少なくとも部分的に取り外す際に、枠組みの下から傾斜コントロールパネル３０への開口部１６を通じて、手が制御手段３２に接近（手動的な接近）でき、目が表示部３４に接近（視覚的な接近）できるようにする。傾斜コントロールパネル３０は、開閉可能な蝶番式の扉３６（図２参照）を備え、開くとハウジング２４内に収納された電気回路の構成部品に接近できる。閉じると、扉３６はコントロールパネル３０と同一平面となる。好ましくは、天井タイル１８は、天井タイル１８と電気装置２２との間の機械的な干渉がなく、完全で早く枠組みの開口部１６から取り外され、これによって、傾斜コントロールパネル３０への接近を完全で簡単なものとし、それは下方向に使用者２８に向くように配置及び傾斜される。傾斜コントロールパネル３０は、好ましくは、水平又は天井面に対して約４５度の鋭角で傾斜される。これにより、使用者２８は、地面又ははしごに立っている間、簡単に天井タイル１８を取り外しでき、身体的に手動制御手段３２に触れたり、表示部３４を見たり、扉３６を開くことができる。
【００１７】
好ましい実施形態では、ハウジング２４は開口部１６に部分的にかぶさる。図示された開口部１６は正方形であって、ハウジング２４は、開口部１６の約２分の１の面積をかぶせる略三角形である。略三角形ハウジング２４は、天井面に対して略垂直な互いに直角な面に設置される２つの側壁３８，４０を備え、傾斜コントロールパネル３０が略三角形ハウジング２４の第３の壁となる。傾斜コントロールパネル３０は、側壁３８，４０及び傾斜コントロールパネル３０に対して斜めに傾斜した２つの略平面コーナー壁４２，４４において、略三角形ハウジング２４の側壁３８，４０に接続する。コーナー壁４２，４４は、電気装置２２の設置又は取り外しの間における使用者の手のための間隙を生じさせ、角位置で設置される天井ワイヤー２０のための間隙を生じさせる。側壁３８，４０は、好ましくは、直角では接続されず、その代りに、他のコーナー壁５０が側壁３８，４０に対して斜めに傾斜する。コーナー壁５０は、コーナー位置にある天井ワイヤー２０のための機械的な間隙を生じさせる。
【００１８】
支持部２８は、電気装置２２のハウジング２４の下で支持可能に設置された支持棒４８と、上記した高さに対応する距離のために支持棒４８から下方に延設された支持脚５２と、上記した高さで枠組みの上で電気装置２２を着脱可能に固定するための留め具又はクリップ４６とを備える。クリップ４６は、枠構成部材１２，１４の垂直ウェブ部分にぴたりと合うようにしっかりと摩擦係合する。電気装置２２は、好ましくは、棒４８にボルト留めされる。
【００１９】
図５〜図６は、枠構成部材１２，１４に設けられたハウジング２４のための別形式の支持を示す。支持棒が省略され、その代りに、支持は、少なくとも一つの支持脚６０、好ましくは、一対の支持脚６０を備え、少なくとも一つのねじ式留め具６２、好ましくは、一対のこのような留め具６２によって、各脚６０の各上端領域でハウジング２４の各側壁３８，４０に対して着脱自在に固定され、各留め具６２は、ハウジング２４のねじ穴にねじ係合される。各脚６０は、上記の高さに対応する距離のためにハウジング２４から下方に延設される。留め具又はクリップ６４は、スナップ動作によって、各脚６０の各下端領域で連結される。留め具又はクリップ６４は、クリップ６４を各脚６０に挿入するときに屈折され、完全挿入による固定動作で各脚６０の穴部６８に入る弾力タブ６６を備える。留め具又はクリップ６４は、枠構成部材１２，１４の垂直ウェブ部分にぴたりと合うようにしっかりと着脱自在に摩擦係合する。例えば、壁ブラケットが、ハウジング２４のねじ穴に取り付けられて、壁取り付けを可能とする。図のように、ハウジングは、一般的に、水平面で支持される。
【００２０】
電気装置２２は、つり下げ天井システムの上のプレナム(plenum：高圧）で用いられる電気装置の一例であって、インフラサービス(infrastructure services)を支援する。特に、オフィスや家庭内の電力装置に直電流（ＤＣ）を供給することが好ましく、これにより、電気装置２２は、上記のようなＤＣ電源、又は直流電力を制御するための構成要素、又は直流電力の経路のための配電盤である。電気装置２２は、天井タイル１８の上部に直接設置されず、又、電気装置２２は、単に天井タイル１８のわずかな移動を可能とするように天井タイル１８に接近して配置されない。電気装置に接近するために、プレナム内の装備及び／又はケーブルを電気装置２２から外す必要はなく、これによって、必要な労働コスト及び時間を最小にしてインフラサービスを生じさせる。
【００２１】
上記した各実施形態、又は２以上の組み合わせは、上記した形式と異なる構造の形式においても利用できることが理解できる。
【００２２】
本発明は、つり下げ天井システムにおける頭上電気装置の接近可能なコントロールパネルとして図示及び記載したが、本発明の思想から外れることのない限り、様々な実施形態及び変形例を適用できる。例えば、ハウジングの上面及び下面に所定距離を置いて開口突起７０を設けて、頭上天井への開口を通じて上壁でワイヤー（例えば天井ワイヤー２０）を各突起７０に結ぶことにより、及び／又は、枠構成部材１２，１４の開口への開口を通じて下面でワイヤーを各突起７０に結ぶことにより、追加の支持をハウジング２４に設けることができる。
【図１】
0005491529.tif 000002
【図２】
0005491529.tif 000003
【図３】
0005491529.tif 000004
【図４】
0005491529.tif 000005
【図５】
0005491529.tif 000006
【図６】
0005491529.tif 000007